(57)【要約】【課題】作業者が、リーダライタのアンテナから出力される電波の出力範囲を正確かつ容易に把握すること。【解決手段】本実施例にかかる測定ＰＣ１００は、タグ情報管理部１２０が、ＲＦＩＤリーダライタからタグＩＤ、アンテナＩＤおよびコントローラが測定した発信機付タグの位置座標を取得し、取得した情報をアンテナ特定タグ情報１３０ａとして記憶部１３０に記憶させる。そして、アクセス部１４０がＲＦＩＤリーダライタを利用して、アンテナ特定タグ情報を発信機付タグに記憶させる。【選択図】        図２
2006318031.tif 000002
【特許請求の範囲】
【請求項１】
リーダライタと通信を行うＩＣタグにかかわる情報を管理するタグ情報管理装置であって、
位置を特定するために用いられる情報を送信する送信装置を備えたＩＣタグと、前記リーダライタのアンテナとの間の通信における通信領域に係る情報である通信領域情報を取得する通信領域情報取得手段と、
前記通信領域情報取得手段によって取得された前記通信領域情報と、前記アンテナを識別するためのアンテナ識別情報と、前記ＩＣタグを識別するためのＩＣタグ識別情報とを関連付けて記憶する通信領域情報記憶手段と、
を備えたことを特徴とするタグ情報管理装置。
【請求項２】
前記通信領域情報を前記ＩＣタグに書き込む書込み手段を更に備えたことを特徴とする請求項１に記載のタグ情報管理装置。
【請求項３】
前記ＩＣタグにかかる前記通信領域情報を取得し、取得した通信領域情報と、前記通信領域情報記憶手段に記憶された通信領域情報とを比較する比較手段を更に備えたことを特徴とする請求項１または２に記載のタグ情報管理装置。
【請求項４】
リーダライタにより送信された情報を記憶するＩＣタグであって、
位置を特定するために利用される位置特定情報を送信する送信手段と、
前記位置特定情報に基づいて特定された前記リーダライタのアンテナと自装置との間の通信における通信領域に係る情報である通信領域情報を取得し、該通信領域情報を記憶する記憶手段と、
を備えたことを特徴とするＩＣタグ。
【請求項５】
前記記憶手段は、前記リーダライタのアンテナを識別するためのアンテナ識別情報および前記通信領域情報を関連付けて記憶することを特徴とする請求項４に記載のＩＣタグ。
【発明の詳細な説明】
【技術分野】
【０００１】
この発明は、リーダライタと通信を行うＩＣタグにかかわる情報を管理するタグ情報管理装置などに関し、特に作業者が、リーダライタのアンテナから出力される電波の出力範囲を正確かつ容易に把握することができるタグ情報管理装置およびＩＣタグに関するものである。
【背景技術】
【０００２】
従来、非接触のＲＦＩＤ（Radio Frequency Identification）タグ（以下、単に「ＩＣタグ」）などを利用した業務システムを導入する場合には、リーダライタのアンテナから出力される電波の出力範囲（以下、電波出力範囲と表記する）に含まれるように複数のＩＣタグを設置する必要があった。
【０００３】
そこで、ＩＣタグを設置する作業者は、過去のＩＣタグ設置にかかわる経験や感覚などにたよって、アンテナからの電波出力範囲を推測し、この電波出力範囲に含まれるように複数のＩＣタグを一つ一つ設置していた。なお、特許文献１では、ＩＣタグなどを設置した位置を精度よく測定可能とする技術が公開されている。
【０００４】
【特許文献１】特開平６−３５０５１６号公報
【発明の開示】
【発明が解決しようとする課題】
【０００５】
しかしながら、かかる従来の技術では、アンテナからの電波出力範囲を作業者の経験や感覚などによって推測していたために、正確な電波出力範囲を特定することができないという問題があった。
【０００６】
なぜなら、電波出力範囲は、アンテナおよびＩＣタグが設置される場所の環境などによって大きくかつ不規則に変化するため、作業者の経験や感覚などでは環境の影響による電波出力範囲の変化に対応しきれないからである。
【０００７】
また、作業者が作業者自身の経験や感覚に基づいて、電波出力範囲を推測し、この電波出力範囲内にＩＣタグを設置する作業は、試行錯誤的な作業でもあるため、作業者にかかる負担が非常に大きく、この問題は更に深刻なものとなっている。
【０００８】
この発明は、上述した従来技術による問題点を解消するためになされたものであり、作業者が、リーダライタのアンテナから出力される電波の出力範囲を正確かつ容易に把握することができるタグ情報管理装置およびＩＣタグを提供することを目的とする。
【課題を解決するための手段】
【０００９】
上述した課題を解決し、目的を達成するため、請求項１の発明に係るタグ情報管理装置は、リーダライタと通信を行うＩＣタグにかかわる情報を管理するタグ情報管理装置であって、位置を特定するために用いられる情報を送信する送信装置を備えたＩＣタグと、前記リーダライタのアンテナとの間の通信における通信領域に係る情報である通信領域情報を取得する通信領域情報取得手段と、前記通信領域情報取得手段によって取得された前記通信領域情報と、前記アンテナを識別するためのアンテナ識別情報と、前記ＩＣタグを識別するためのＩＣタグ識別情報とを関連付けて記憶する通信領域情報記憶手段と、を備えたことを特徴とする。
【００１０】
この請求項１の発明によれば、タグ情報管理装置は、位置を特定するために用いられる情報を送信する送信装置を備えたＩＣタグと、前記リーダライタのアンテナとの間の通信領域に係る情報である通信領域情報を取得し、取得した通信領域情報と、アンテナを識別するためのアンテナ識別情報と、ＩＣタグを識別するためのＩＣタグ識別情報とを関連付けて記憶する。
【００１１】
また、請求項２の発明に係るタグ情報管理装置は、請求項１の発明において、前記通信領域情報を前記ＩＣタグに書き込む書込み手段を更に備えたことを特徴とする。
【００１２】
この請求項２の発明によれば、タグ情報管理装置は、記憶部に記憶した通信領域情報をＩＣタグに書き込む。
【００１３】
また、請求項３の発明に係るタグ情報管理装置は、請求項１または２の発明において、前記ＩＣタグにかかる前記通信領域情報を取得し、取得した通信領域情報と、前記通信領域情報記憶手段に記憶された通信領域情報とを比較する比較手段を更に備えたことを特徴とする。
【００１４】
この請求項３の発明によれば、タグ情報管理装置は、ＩＣタグにかかる通信領域情報を取得し、取得した通信領域情報と、記憶部に記憶した通信領域とを比較する。
【００１５】
また、請求項４の発明にかかるＩＣタグは、リーダライタにより送信された情報を記憶するＩＣタグであって、位置を特定するために利用される位置特定情報を送信する送信手段と、前記位置特定情報に基づいて特定された前記リーダライタのアンテナと自装置との間の通信における通信領域に係る情報である通信領域情報を取得し、該通信領域情報を記憶する記憶手段と、を備えたことを特徴とする。
【００１６】
この請求項４の発明によれば、ＩＣタグは、位置を特定するために利用される位置特定情報を送信し、該位置特定情報に基づいて特定されたリーダライタのアンテナと自装置との間の通信における通信領域に係る情報である通信領域情報を取得し、取得した通信領域情報を記憶する。
【００１７】
また、請求項５の発明の発明にかかるＩＣタグは、請求項４の発明において、前記記憶手段は、前記リーダライタのアンテナを識別するためのアンテナ識別情報および前記通信領域情報を関連付けて記憶することを特徴とする。
【００１８】
この請求項５の発明によれば、ＩＣタグは、リーダライタのアンテナを識別するためのアンテナ識別情報および通信領域情報を関連付けて記憶する。
【発明の効果】
【００１９】
請求項１の発明によれば、タグ情報管理装置は、位置を特定するために用いられる情報を送信する送信装置を備えたＩＣタグと、前記リーダライタのアンテナとの間の通信領域に係る情報である通信領域情報を取得し、取得した通信領域情報と、アンテナを識別するためのアンテナ識別情報と、ＩＣタグを識別するためのＩＣタグ識別情報とを関連付けて記憶するので、タグ設置を行う作業者はアンテナから出力される電波の範囲を正確に把握することができる。
【００２０】
また、請求項２の発明によれば、タグ情報管理装置は、位置を特定するために用いられる情報を送信する送信装置を備えたＩＣタグと、前記リーダライタのアンテナとの間の通信領域に係る情報である通信領域情報を取得し、取得した情報を記憶すると共に、記憶した通信領域情報をＩＣタグに書き込むので、タグ設置を行う作業者はアンテナの電波出力範囲を正確に把握することができ、適切な位置にＩＣタグを設置することができる。
【００２１】
また、請求項３の発明によれば、タグ情報管理装置は、ＩＣタグにかかる通信領域情報を取得し、取得した通信領域情報と、記憶部に記憶した通信領域とを比較するので、アンテナの電波出力範囲が適切か否かを容易に把握でき、アンテナなどのメンテナンスを行う作業者の負担を軽減させることができる。
【００２２】
また、請求項４の発明によれば、ＩＣタグは、位置を特定するために利用される位置特定情報を送信し、該位置特定情報に基づいて特定されたリーダライタのアンテナと自装置との間の通信における通信領域に係る情報である通信領域情報を取得し、取得した通信領域情報を記憶するので、タグ設置を行う作業者はアンテナから出力される電波の範囲を正確に把握することができる。
【００２３】
また、請求項５の発明によれば、ＩＣタグは、リーダライタのアンテナを識別するためのアンテナ識別情報および通信領域情報を関連付けて記憶するので、タグ設置を行う作業者はアンテナから出力される電波の範囲を正確に把握することができる。
【発明を実施するための最良の形態】
【００２４】
以下に添付図面を参照して、この発明に係るタグ情報管理装置およびＩＣタグの好適な実施の形態を詳細に説明する。
【実施例】
【００２５】
まず、本実施例にかかるタグ情報管理装置の概念について説明する。本実施例にかかるタグ情報管理装置は、超音波を発する発信機などを備えたＩＣ（Integrated Circuit）タグ（以下、発信機付タグと表記する）を利用して、リーダライタのアンテナとＩＣタグとの間の通信における通信領域の情報（以下、通信領域情報と表記する）を取得し、取得した情報を記憶部に記憶すると共に、通信領域情報を発信機付タグに書き込む。
【００２６】
このように、発信機付タグに通信領域情報を記憶させることによって、ＩＣタグを設置する作業者は、この発信機付タグからＲＦＩＤ（Radio Frequency Identification）用ハンディーターミナル等（以下、単にハンディーターミナルと表記する）で通信領域情報を容易に取り出すことができるので、作業者はリーダライタのアンテナから出力される電波の範囲（以下、電波出力範囲と表記する）を正確に把握することができると共に、作業者のＩＣタグ設置にかかる負担を軽減させることができる。
【００２７】
次に、本実施例にかかるタグ情報管理システムのシステム構成について説明する。図１は、本実施例にかかるタグ情報管理システムのシステム構成を示すブロック図である。同図に示すように、このタグ情報管理システムは、発信機付タグ１０、ＲＦＩＤアンテナ２０、ＲＦＩＤリーダライタ３０、ハブ４０、コントローラ５０、受信機５０ａ〜５０ｃ、計測ＰＣ（本実施例では、タグ情報管理装置を計測ＰＣとして説明する）１００からなる。
【００２８】
また、ＲＦＩＤリーダライタ３０は、ＲＦＩＤアンテナ２０およびハブ４０に接続され、計測ＰＣ１００は、ハブ４０およびコントローラ５０に接続され、コントローラ３０は、受信機５０ａ〜５０ｃに接続される。
【００２９】
発信機付タグ１０は、ＲＦＩＤアンテナ２０より送信される通信領域情報などを記憶すると共に、発信機付タグ１０の位置を特定するために用いられる情報（具体的には、超音波）を受信機５０ａ〜５０ｃに送信する発信機を備えたＩＣタグである。
【００３０】
ＲＦＩＤアンテナ２０は、発信機付タグ１０に電波を出力し、発信機付タグ１０に対して情報の書込みまたは読み込みを行う装置であり、ＲＦＩＤリーダライタ３０は、計測ＰＣ１００からの書込みまたは読み込み要求に応じて、発信機付タグ１０に対して（ＲＦＩＤアンテナ２０を利用して）情報の書込みまたは読み込みを行う装置である。
【００３１】
ハブ４０は、ＲＦＩＤリーダライタ３０と計測ＰＣ１００とを接続し、ＲＦＩＤリーダライタ３０と計測ＰＣ１００との間で通信を可能とさせる装置である。コントローラ５０は、受信機５０ａ〜５０ｃを利用して、発信機付タグ１０の３次元の位置座標（以下、単に位置座標と表記する）を測定し、測定した位置座標を計測ＰＣ１００に送信する装置である。ここで、位置座標は、ＲＦＩＤタグに対する相対位置座標であってもよいし、特定の地点を基準とした絶対位置座標であってもよい。
【００３２】
コントローラ５０が、位置座標を測定する具体的な手法は、例えば、発信機付タグ１０から送信される超音波を受信機５０ａ〜５０ｃに受信させると共に、三角法などを利用して位置座標を測定する。なお、コントローラ５０が位置座標を測定する場合、予め、発信機付タグ１０は、管理者等によってＲＦＩＤアンテナ２０の電波出力範囲に対応する臨界点に設置される。
【００３３】
計測ＰＣ１００は、コントローラ５０を利用して、ＲＦＩＤアンテナ２０と発信機付タグ１０との通信にかかわる通信領域情報、すなわち、位置座標を取得し、取得した位置座標を記憶すると共に、リーダライタ３０を利用して位置座標を発信機付タグ１０に書き込む装置である。なお、計測ＰＣ１００は、発信機付タグ１０の臨界点における位置座標を複数地点において取得する。
【００３４】
次に、本実施例にかかる測定ＰＣ１００の構成について説明する。図２は、本実施例にかかる測定ＰＣ１００の構成を示す機能ブロック図である。同図に示すように、この計測ＰＣ１００は、インターフェース部１１０と、タグ情報管理部１２０と、記憶部１３０と、アクセス部１４０と、電波出力エリア判定部１５０と、入力部１６０と、表示部１７０とを有する。
【００３５】
インターフェース部１１０は、所定の通信プロトコルを利用して、ＲＦＩＤリーダライタ３０およびコントローラ５０と通信を行う処理部である。タグ情報管理部１２０は、コントローラ５０から位置座標を取得し、ＲＦＩＤリーダライタ３０から発信機付タグ１０を識別するためのタグＩＤ（Identification）およびＲＦＩＤアンテナ２０を識別するためのアンテナＩＤを取得すると共に、取得した各情報をアンテナ特定タグ情報１３０ａとして記憶部１３０に記憶させる処理部である。ここで、記憶部１３０は、アンテナ特定タグ情報１３０ａを記憶する記憶部である。
【００３６】
図３は、アンテナ特定タグ情報１３０ａのデータ構造の一例を示す図である。同図に示すように、このアンテナ特定タグ情報１３０ａは、「タグＩＤ」、「アンテナＩＤ」、「位置座標」からなる。例えば、タグＩＤ「１００１」に対応するアンテナＩＤは「２００１」であり、位置座標が「ｘ＝２．５４、ｙ＝３．６５、ｚ＝２．３６」である（図３に関するその他の説明は省略する）。なお、同一のタグＩＤおよびアンテナＩＤに対する位置座標は、複数記憶される。
【００３７】
すなわち、タグ情報管理部１２０は、電波出力範囲の臨界点にかかわる複数点の発信機付タグ１０の位置座標をコントローラ３０から取得し、所得した複数点の位置座標をアンテナ特定タグ情報１３０ａに記憶する。なお、複数点の位置座標を取得する場合には、管理者等が、発信機付タグ１０を移動させ、移動後の発信機付タグ１０の位置情報をタグ情報管理部１２０が取得することになる。
【００３８】
アクセス部１４０は、ＲＦＩＤリーダライタ３０にアンテナ特定タグ情報１３０ａを送信し、発信機付タグ１０にアンテナ特定タグ情報１３０ａを書き込ませる処理部である。なお、アクセス部１４０は、アンテナ特定タグ情報１３０ａに含まれる情報を全て発信機付タグ１０に書き込ませてもよいし、対応する情報（例えば、発信機付タグ１０のタグＩＤと一致する情報）だけ書き込ませてもよい。
【００３９】
電波出力エリア判定部１５０は、ＲＦＩＤアンテナ２０の電波出力範囲が正常か否かを判定する処理部である。ここで、電波出力エリア判定部１５０に関して詳しく説明すると、まず、この電波出力エリア判定部１５０は、アンテナ特定タグ情報１３０ａを読み取り、タグＩＤおよびアンテナＩＤが一致する複数の位置座標を基にして、近似曲面を作成する。なお、電波出力エリア判定部１５０は、近似曲面に対応するタグＩＤおよびアンテナＩＤを関連付けて保持する。
【００４０】
そして、電波出力エリア判定部１５０は、発信機付タグ１０のタグＩＤ、ＲＦＩＤアンテナ２０のアンテナＩＤおよび管理者によって電波出力範囲の臨界点に設置された発信機付タグ１０の位置座標をコントローラ５０から再度取得し、取得した位置座標が、近似曲面を中心とした許容範囲内に含まれるか否かを判定し、判定結果を表示部１７０に出力する。ここで、表示部１７０は、電波出力エリア判定部１５０から取得した情報をディスプレイなどの表示装置（図示しない）に表示させる処理部である。
【００４１】
図４は、電波出力エリア判定部１５０の処理を説明するための説明図である。メンテナンス時などに、作業者は、ハンディーターミナルを利用して、発信機付タグ１０から位置座標を取得し、位置座標に対応する位置に発信機付タグ１０を設置し、発信機付タグ１０を設置した旨をキーボードなどの入力装置（図示しない）を利用して、計測ＰＣ１００に入力する。
【００４２】
そして、電波出力エリア判定部１５０は、入力部１６０を介して発信機付タグ１０が設置された旨を取得し、電波出力範囲が正常か否かを判定する。ここで、入力部１６０は、キーボードなどから入力される情報を電波出力エリア判定部に渡す処理部である。作業者は位置座標にかかる複数箇所に発信機付タグ１０を設置し、そのたびに、電波出力エリア判定部１５０が電波出力範囲判定を行う。このような処理を繰り返すことで、作業者は容易に電波出力範囲が正常か否かを判定することができる。
【００４３】
なお、作業者は、測定ＰＣ１００を介して、位置情報を取得することもできる。この場合、作業者は、入力装置から位置情報要求を測定ＰＣ１００に入力する。測定ＰＣ１００の電波出力判定部１５０は、入力部１６０を介して位置情報要求を取得した場合には、アンテナ特定タグ情報１３０ａを記憶部から取得し、取得したアンテナ特定タグ情報１３０ａを表示部１７０に出力する。
【００４４】
次に、本実施例にかかるタグ情報管理部１２０の処理について説明する。図５は、本実施例にかかるタグ情報管理部１２０の処理手順を示すフローチャートである。同図に示すように、タグ情報管理部１２０は、コントローラ５０から発信機付タグ１０の位置座標を取得する（ステップＳ１０１）。
【００４５】
そして、タグ情報管理部１２０は、ＲＦＩＤリーダライタ３０から発信機付タグ１０のタグＩＤを取得し（ステップＳ１０２）、ＲＦＩＤアンテナ２０のアンテナＩＤを取得する（ステップＳ１０３）。
【００４６】
続いて、タグ情報管理部１２０は、位置座標、タグＩＤ、アンテナＩＤを関連づけてアンテナ特定タグ情報１３０ａとして、記憶部１３０に記憶する（ステップＳ１０４）。このように、タグ情報管理部１２０が、位置座標、タグＩＤおよびアンテナＩＤを取得し、記憶部１３０にアンテナ特定タグ情報１３０ａとして記憶するので、作業者は、アンテナ特定タグ情報１３０を利用することによって、容易に電波出力範囲を特定することができる。
【００４７】
また、記憶部１３０に記憶されたアンテナ特定タグ情報１３０をアクセス部１４０が、アンテナ特定タグ情報１３０を発信機付タグ１０に書き込むので、作業者はハンディーターミナルを利用して発信機付タグ１０から正確な電波出力範囲を取得でき、タグ設置にかかわる作業の負担を軽減することができる。
【００４８】
次に、本実施例にかかる電波出力エリア判定部１５０の処理について説明する。図６は、本実施例にかかる電波出力エリア判定部１５０の処理手順を示すフローチャートである。同図に示すように、電波出力エリア判定部１５０は、アンテナ特定タグ情報１３０ａの位置座標を基にして近似曲線を作成し（ステップＳ２０１）、コントローラ５０から位置座標を取得し、発信機付タグから、タグＩＤおよびアンテナＩＤを取得する（ステップＳ２０２）。
【００４９】
そして、電波出力エリア判定部１５０は、近似曲線作成の基となったタグＩＤおよびアンテナＩＤが発信機付タグ１０から取得したタグＩＤおよびアンテナＩＤと一致した場合に、近似曲線と位置座標とを比較し、電波出力範囲が適切か否か、すなわち、近似曲線を中心とした許容範囲内に位置座標が含まれるか否かを判定する（ステップＳ２０３）。
【００５０】
電波出力範囲が適切である場合には（ステップＳ２０４，Ｙｅｓ）、電波出力エリア判定部１５０が、電波出力範囲が適切である旨を、表示部１７０を介してディスプレイに表示させる（ステップＳ２０５）。
【００５１】
一方、電波出力範囲が適切でない場合には（ステップＳ２０４，Ｎｏ）、電波出力エリア判定部１５０が、電波出力範囲が適切でない旨を、表示部１７０を介してディスプレイに表示させる（ステップＳ２０６）。
【００５２】
このように、電波出力エリア判定部１５０は、近似曲線を作成し、作成した近似曲線と、発信機付タグ１０の位置座標を基にして、電波出力範囲が適切か否かを判定し、判定結果をディスプレイに出力するので、メンテナンス時の作業者にかかる負担を軽減させることができる。
【００５３】
上述してきたように、本実施例にかかる測定ＰＣ１００は、タグ情報管理部１２０が、タグＩＤ、アンテナＩＤおよび位置座標を取得し、取得した情報をアンテナ特定タグ情報１３０ａとして記憶部１３０に記憶させる。そして、アクセス部１４０がアンテナ特定タグ情報１３０ａを発信機付タグ１０に記憶させるので、ＩＣタグ設置にかかわる作業者は、正確な電波出力範囲を容易に把握することができる。
【００５４】
なお、本実施例では、タグＩＤ、アンテナＩＤおよび位置座標を、アンテナ特定タグ情報１３０ａとして、記憶部１３０に記憶させたが、このほかにも、例えば、発信機付タグ１０の位置座標を測定した環境にかかわる情報をあわせて記憶部１３０に記憶させてもよい。
【００５５】
このように、環境にかかわる情報をあわせて記憶部１３０に記憶させることによって、環境の変化によって不規則に変化する電波出力範囲に対しても精度よく対応することができる。
【００５６】
（付記１）リーダライタと通信を行うＩＣタグにかかわる情報を管理するタグ情報管理装置であって、
位置を特定するために用いられる情報を送信する送信装置を備えたＩＣタグと、前記リーダライタのアンテナとの間の通信における通信領域に係る情報である通信領域情報を取得する通信領域情報取得手段と、
前記通信領域情報取得手段によって取得された前記通信領域情報と、前記アンテナを識別するためのアンテナ識別情報と、前記ＩＣタグを識別するためのＩＣタグ識別情報とを関連付けて記憶する通信領域情報記憶手段と、
を備えたことを特徴とするタグ情報管理装置。
【００５７】
（付記２）前記通信領域情報を前記ＩＣタグに書き込む書込み手段を更に備えたことを特徴とする付記１に記載のタグ情報管理装置。
【００５８】
（付記３）前記ＩＣタグにかかる前記通信領域情報を取得し、取得した通信領域情報と、前記通信領域情報記憶手段に記憶された通信領域情報とを比較する比較手段を更に備えたことを特徴とする付記１または２に記載のタグ情報管理装置。
【００５９】
（付記４）リーダライタにより送信された情報を記憶するＩＣタグであって、
位置を特定するために利用される位置特定情報を送信する送信手段と、
前記位置特定情報に基づいて特定された前記リーダライタのアンテナと自装置との間の通信における通信領域に係る情報である通信領域情報を取得し、該通信領域情報を記憶する記憶手段と、
を備えたことを特徴とするＩＣタグ。
【００６０】
（付記５）前記記憶手段は、前記リーダライタのアンテナを識別するためのアンテナ識別情報および前記通信領域情報を関連付けて記憶することを特徴とする付記４に記載のＩＣタグ。
【００６１】
（付記６）リーダライタと通信を行うＩＣタグにかかわる情報を管理するタグ情報管理方法であって、
位置を特定するために用いられる情報を送信する送信装置を備えたＩＣタグと、前記リーダライタのアンテナとの間の通信における通信領域に係る情報である通信領域情報を取得する通信領域情報取得工程と、
前記通信領域情報取得工程によって取得された前記通信領域情報と、前記アンテナを識別するためのアンテナ識別情報と、前記ＩＣタグを識別するためのＩＣタグ識別情報とを関連付けて記憶装置に記憶する通信領域情報記憶工程と、
を含んだことを特徴とするタグ情報管理方法。
【００６２】
（付記７）前記通信領域情報を前記ＩＣタグに書き込む書込み工程を更に含んだことを特徴とする付記６に記載のタグ情報管理方法。
【００６３】
（付記８）前記ＩＣタグにかかる前記通信領域情報を取得し、取得した通信領域情報と、前記記憶装置に記憶された通信領域情報とを比較する比較工程を更に含んだことを特徴とする付記６または７に記載のタグ情報管理方法。
【産業上の利用可能性】
【００６４】
以上のように、本発明にかかるタグ情報管理装置およびＩＣタグは、ＲＦＩＤタグを利用した業務システムなどに対して有用である。
【図面の簡単な説明】
【００６５】
【図１】本実施例にかかるタグ情報管理システムのシステム構成を示すブロック図である。
【図２】本実施例にかかる測定ＰＣの構成を示す機能ブロック図である。
【図３】アンテナ特定タグ情報のデータ構造の一例を示す図である。
【図４】電波出力エリア判定部の処理を説明するための説明図である。
【図５】本実施例にかかるタグ情報管理部の処理手順を示すフローチャートである。
【図６】本実施例にかかる電波出力エリア判定部の処理手順を示すフローチャートである。
【符号の説明】
【００６６】
１０    発信機付タグ
２０    ＲＦＩＤアンテナ
３０    ＲＦＩＤリーダライタ
４０    ハブ
５０    コントローラ
５０ａ，５０ｂ，５０ｃ    受信機
１００    計測ＰＣ
１１０    インターフェース部
１２０    タグ情報管理部
１３０    記憶部
１３０ａ  アンテナ特定タグ情報
１４０    アクセス部
１５０    電波出力エリア判定部
１６０    入力部
１７０    表示部
【図１】
2006318031.tif 000003
【図２】
2006318031.tif 000004
【図３】
2006318031.tif 000005
【図４】
2006318031.tif 000006
【図５】
2006318031.tif 000007
【図６】
2006318031.tif 000008